(57)【要約】  本発明の排液処理器は、吸引源からの負圧により生体から吸引した排液を収容し、廃棄するための排液処理器において、前記排液を吸引する吸引チューブに繋がる吸引口と、前記吸引源に繋がる排気口とを有するコネクタと、前記排液を収容する廃棄容器と、を備え、前記廃棄容器は、前記吸引口に繋がる吸引側連通口と、前記排気口に繋がる排気側連通口とを備えると共に、前記コネクタに着脱可能であることを特徴とするものである。
2016031097.tif 000002
【特許請求の範囲】
【請求項１】
吸引源からの負圧により生体から吸引した排液を収容し、廃棄するための排液処理器において、
前記排液を吸引する吸引チューブに繋がる吸引口と、前記吸引源に繋がる排気口とを有するコネクタと、
前記排液を収容する廃棄容器と、を備え、
前記廃棄容器は、前記吸引口に繋がる吸引側連通口と、前記排気口に繋がる排気側連通口とを備えると共に、前記コネクタに着脱可能であることを特徴とする排液処理器。
【請求項２】
前記吸引側連通口には、前記排液を前記廃棄容器の内部に向って通過させる一方、前記排液が前記廃棄容器の外部に向って通過することを阻止する開閉体が配置されている、請求項１に記載の排液処理器。
【請求項３】
前記開閉体は逆止弁である、請求項２に記載の排液処理器。
【請求項４】
前記コネクタは、前記廃棄容器の吸引側連通口に挿入される吸引側挿入管を備え、
前記開閉体は、前記吸引側挿入管の先端に接し、又は前記吸引側挿入管の先端に貫かれるように配置されている、請求項２又は３に記載の排液処理器。
【請求項５】
前記排気側連通口には、前記排液の通過を阻止するフィルタが配置されている、請求項１〜４のいずれか一項に記載の排液処理器。
【請求項６】
前記開閉体は、前記フィルタの排液吸込口よりも上方に配置されている、請求項５に記載の排液処理器。
【請求項７】
前記排気側連通口は上下方向に延びる流路を形成しており、
前記フィルタは、前記排気側連通口の上端及び下端を除く上下方向中間部内に収まるように配置されている、請求項５又は６に記載の排液処理器。
【請求項８】
請求項１〜７のいずれか一項に記載の排液処理器であって、第１の排液発生源から排液を吸引する第１の吸引チューブに接続される第１の排液処理器と、
請求項１〜７のいずれか一項に記載の排液処理器であって、第２の排液発生源から排液を吸引する第２の吸引チューブに接続される第２の排液処理器と、を備えることを特徴とする排液処理システム。
【発明の詳細な説明】
【技術分野】
【０００１】
本発明は、吸引源からの負圧により生体から吸引した排液を収容し、廃棄するための排液処理器、及びそのような排液処理器を複数備える排液処理システムに関し、特に、排液を廃棄する際の取換え作業を容易化しようとするものである。
【背景技術】
【０００２】
医療現場において、吸引源からの負圧により患者などの生体から吸引した痰や、誤嚥物、或いは膿汁、分泌物や体液などの排液を収容し、廃棄するための排液処理器が知られている。このような排液処理器は、通常、複数の排液発生源（例えば、生体の喉と腹部）にそれぞれ対応して複数設けられ、排液処理システムを構成する（例えば、特許文献１参照）。【０００３】
このような排液処理システムは、第１の排液発生源から排液を吸引する第１の吸引チューブに接続される第１の排液処理器と、第２の排液発生源から排液を吸引する第２の吸引チューブに接続される第２の排液処理器とを備えており、排液の廃棄に際しては、各排液処理器と吸引チューブとの接続を解除すると共に、各排液処理器と吸引源との接続を解除して、排液処理器ごと廃棄するようになっていた。
【先行技術文献】
【特許文献】
【０００４】
【特許文献１】特許第４６２７３５３号公報
【発明の概要】
【発明が解決しようとする課題】
【０００５】
しかしながら、特許文献１に記載されるような従来の排液処理システムでは、排液を廃棄するに際し、使用済みの排液処理器を未使用のものと取換える必要があるが、その際に吸引チューブの取り違えが発生するおそれがあった。すなわち、第１の排液処理器と交換された未使用の排液処理器に、誤って第２の吸引チューブが接続されると共に、第２の排液処理器と交換された未使用の排液処理器に第１の吸引チューブが接続されるおそれがあった。【０００６】
また、前述したような従来の排液処理器を単独で使用する場合においても、排液を廃棄するに際しては、排液処理器と吸引チューブとの接続を解除するだけでなく、排液処理器と吸引源との接続も解除する必要があり、未使用の排液処理器に対しても、吸引チューブの接続に加え、吸引源との接続も必要であり、排液を廃棄する際の取換え作業の容易化が望まれていた。【０００７】
本発明は、前記の現状に鑑み開発されたもので、排液を廃棄する際の取換え作業を容易化できると共に、複数の排液発生源に対応して複数の排液処理器を用いる場合に懸念される、前記取換え作業時の吸引チューブの取り違えの発生を防止することができる排液処理器及び排液処理システムを提供することを目的とする。
【課題を解決するための手段】
【０００８】
本発明の排液処理器は、吸引源からの負圧により生体から吸引した排液を収容し、廃棄するための排液処理器において、前記排液を吸引する吸引チューブに繋がる吸引口と、前記吸引源に繋がる排気口とを有するコネクタと、前記排液を収容する廃棄容器と、を備え、前記廃棄容器は、前記吸引口に繋がる吸引側連通口と、前記排気口に繋がる排気側連通口とを備えると共に、前記コネクタに着脱可能であることを特徴とするものである。【０００９】
ここで、本発明の排液処理器は、前記吸引側連通口には、前記排液を前記廃棄容器の内部に向って通過させる一方、前記排液が前記廃棄容器の外部に向って通過することを阻止する開閉体が配置されていることが好ましい。【００１０】
また、本発明の排液処理器は、前記開閉体が逆止弁であることが好ましい。【００１１】
また、本発明の排液処理器は、前記コネクタが、前記廃棄容器の吸引側連通口に挿入される吸引側挿入管を備え、前記開閉体が、前記吸引側挿入管の先端に接し、又は前記吸引側挿入管の先端に貫かれるように配置されていることが好ましい。【００１２】
また、本発明の排液処理器は、前記排気側連通口には、前記排液の通過を阻止するフィルタが配置されていることが好ましい。【００１３】
また、本発明の排液処理器は、前記開閉体が、前記フィルタの排液吸込口よりも上方に配置されていることが好ましい。【００１４】
さらに、本発明の排液処理器は、前記排気側連通口が上下方向に延びる流路を形成しており、前記フィルタが、前記排気側連通口の上端及び下端を除く上下方向中間部内に収まるように配置されていることが好ましい。【００１５】
また、本発明の排液処理システムは、前記した本発明の排液処理器のいずれかであって、第１の排液発生源から排液を吸引する第１の吸引チューブに接続される第１の排液処理器と、前記した本発明の排液処理器のいずれかであって、第２の排液発生源から排液を吸引する第２の吸引チューブに接続される第２の排液処理器と、を備えることを特徴とするものである。
【発明の効果】
【００１６】
本発明によれば、排液を廃棄する際は、排液を収容した廃棄容器をコネクタから取外し、該廃棄容器に代えて未使用の廃棄容器をコネクタに取付けるだけで廃棄容器の取換え作業を完了させることができる。また、その際、吸引チューブと吸引源とをコネクタから切り離す必要がない。【００１７】
したがって、本発明によれば、排液を廃棄する際の取換え作業を容易化できると共に、複数の排液発生源に対応して複数の排液処理器を用いる場合に懸念される、前記取換え作業時の吸引チューブの取り違えの発生を防止することができる排液処理器及び排液処理システムを提供することができる。
【図面の簡単な説明】
【００１８】
【図１】本発明の一実施形態に係る排液処理システムを示す側面図である。
【図２】図１の排液処理システムにおける排液処理器を示す斜視図であり、コネクタから廃棄容器を取り外した状態を示す。
【図３】図２の排液処理器を示す縦断面図である。
【図４】本発明の一実施形態に係る排液処理器の変形例を示す斜視図であり、コネクタから廃棄容器を取り外した状態を示す。
【図５】図４の排液処理器を示す一部断面側面図である。
【発明を実施するための形態】
【００１９】
以下、図１〜図３を参照して、本発明の一実施形態に係る排液処理器及び排液処理システムについて詳細に例示説明する。
なお、本明細書において、上下方向とは、排液処理器の使用時における鉛直方向を意味し、下方とは重力が向う鉛直方向下方を意味し、上方とはその反対方向を意味するものとする。
【００２０】
図１に示すように、本実施形態に係る排液処理システム１は、第１の排液処理器２ａと、第２の排液処理器２ｂと、第１の吸引チューブ３ａと、第２の吸引チューブ３ｂと、吸引圧力調節器４と、第１の排気チューブ５ａと、第２の排気チューブ５ｂと、第１の吊下げ具６ａと、第２の吊下げ具６ｂとを備えており、これらは例えばスタンド式の保持具が備えるハウジングＨ内に収容されている。なお、排液処理システム１は、ハウジングＨに収容されておらず、所定の接続具に固定され、露出していてもよい。吸引圧力調節器４は、医療施設に備わる吸引源に接続され、該吸引源からの負圧を本例では第１分岐口４ａと第２分岐口４ｂの２系統に分配している。これら２系統の負圧は、インジケータとダイヤルを用いることで、独立して調節できるようになっている。
【００２１】
第１の排液処理器２ａは、コネクタ７ａと廃棄容器８ａとを備えている。コネクタ７ａは、痰や、誤嚥物、或いは膿汁、分泌物や体液などの排液を吸引する第１の吸引チューブ３ａに繋がる吸引口９ａを備えている。具体的には、第１の吸引チューブ３ａの一端は、第１の排液発生源（例えば、患者などの生体の喉）に配置され、第１の吸引チューブ３ａの他端は、吸引口９ａに接続されている。また、コネクタ７ａは、吸引源に繋がる排気口１０ａを備えている。具体的には、排気口１０ａには、第１の排気チューブ５ａの一端が接続され、第１の排気チューブ５ａの他端は吸引圧力調節器４の第１分岐口４ａに接続されている。
【００２２】
廃棄容器８ａは、有底筒状の胴部１１を備え、胴部１１の上端には括れ部１２を介して天板部１３が設けられている。第１の排液処理器２ａは、第１の吊下げ具６ａによって、保持具のハウジングＨの壁から吊下げた状態で保持されている。具体的には、第１の吊下げ具６ａは、ハウジングＨの壁から水平に突出する一対の板片として構成され、第１の排液処理器２ａを、該一対の板片が廃棄容器８ａの括れ部１２に挿入されるように配置することで、第１の排液処理器２ａが吊下げられるようになっている。
【００２３】
第２の排液処理器２ｂは、コネクタ７ｂと廃棄容器８ｂとを備えており、廃棄容器８ｂの上下方向の長さが異なる他は、第１の排液処理器２ａと同一の構成になっている。また、第２の吊下げ具６ｂは、第１の吊下げ具６ａと同一の構成になっている。このように、排液処理器２ａ，２ｂを吊下げた状態で保持する構成とすることにより、長さや大きさの異なる複数の廃棄容器８ａ，８ｂを容易に着脱することができると共に、必要に応じて所望の容量の廃棄容器８ａ，８ｂを、吸引チューブ３ａ，３ｂや排気チューブ５ａ，５ｂの長さを変更する必要なしに設置することができる。
【００２４】
第２の排液処理器２ｂのコネクタ７ｂは、前記したような排液を吸引する第２の吸引チューブ３ｂに繋がる吸引口９ｂを備えている。具体的には、第２の吸引チューブ３ｂの一端は、第２の排液発生源（例えば、生体の腹部）に配置され、第２の吸引チューブ３ｂの他端は、吸引口９ｂに接続されている。また、コネクタ７ｂは、吸引源に繋がる排気口１０ｂを備えている。具体的には、排気口１０ｂには、第２の排気チューブ５ｂの一端が接続され、第２の排気チューブ５ｂの他端は吸引圧力調節器４の第２分岐口４ｂに接続されている。
【００２５】
以下、第１の排液処理器２ａについて、コネクタ７ａの詳細構造と、廃棄容器８ａの上部の詳細構造とを説明するが、第２の排液処理器２ｂは第１の排液処理器２ａと同一の構造となっている。図２及び図３に示すように、廃棄容器８ａは、吸引口９ａに繋がる吸引側連通口１４と、排気口１０ａに繋がる排気側連通口１５とを備えると共に、コネクタ７ａに着脱可能に構成されている。また、廃棄容器８ａは、例えば合成樹脂製とすることができ、未使用時の収納性を考慮し、胴部１１を折り畳み可能な柔軟性を有する袋状に構成することが好ましい。しかし、そのような場合であっても吸引の力によって、廃棄容器８aが折りたたまれてしまうことは無い。なお、廃棄容器８ａは、そのような柔軟性を有さない剛性容器としてもよい。
【００２６】
また、廃棄容器８ａの内部には、必要に応じて、吸水材を配置したり、殺菌、消毒のための薬剤（例えば、次亜塩素酸塩や二酸化塩素を発生する薬剤など）を配置したりすることができる。なお、吸水材や殺菌、消毒のための薬剤を設ける場合には、水溶性の膜で覆われた吸水材を配置し、吸引された排液に触れることで膜が溶解して吸水材が露出するようにしてもよい。
【００２７】
コネクタ７ａは、廃棄容器８ａの天板部１３に上方から重なる天壁１６と、天壁１６からＬ字状に立ち上がる吸引口９ａと、天壁１６から垂下し、廃棄容器８ａの吸引側連通口１４に挿入される吸引側挿入管１７とを備えている。また、コネクタ７ａは、天壁１６からＬ字状に立ち上がる排気口１０ａと、天壁１６から垂下し、廃棄容器８ａの排気側連通口１５に挿入される排気側挿入管１８とを備えている。吸引側挿入管１７の外周面には、例えばゴム製のＯリング１９が設けられ、吸引側挿入管１７と吸引側連通口１４の間の気密性を確保している。同様に、排気側挿入管１８の外周面には、例えばゴム製のＯリング２０が設けられ、排気側挿入管１８と排気側連通口１５の間の気密性を確保している。
【００２８】
コネクタ７ａは、例えば合成樹脂による射出成形等によって、天壁１６、吸引口９ａ、吸引側挿入管１７、排気口１０ａ及び排気側挿入管１８を一体に成形することができるが、複数の部材を一体化することで構成してもよい。なお、コネクタ７ａは、合成樹脂以外の素材によって構成してもよい。
【００２９】
吸引側連通口１４には、第１の吸引チューブ３ａからの排液を廃棄容器８ａの内部に向って通過させる一方、排液が廃棄容器８ａの外部に向って通過することを阻止する開閉体としての逆止弁２１が配置されている。逆止弁２１としては、図３に示したように弁体基部と弁体とが１つの連結片によって連結された１点弁や、後掲図５に示すようなダックビル弁２１'や、その他の構成を有するものを用いることができる。本実施形態では、開閉体（逆止弁２１）は、吸引側挿入管１７の先端に接するように配置されている。このような構成に代えて、開閉体（逆止弁２１）は、吸引側挿入管１７の先端に貫かれるように配置されてもよい。また、開閉体（逆止弁２１）は、後述するフィルタ２２の排液吸込口（本例では、排気側連通口１５の下端）よりも上方に配置されている。
【００３０】
また、排気側連通口１５は、排液を通過させないようになっている。具体的には、排気側連通口１５には、排液の通過を阻止するフィルタ２２が配置されている。フィルタ２２は、例えば、空気を通過させる一方で液体の通過は阻止する不織布で構成することができる。あるいは、メンブランフィルタや、排液との接触により膨張して通気孔を塞ぐ吸水性材料（例えば、吸水性樹脂をコートした不織布）でフィルタ２２を構成してもよく、その他の構成とすることもできる。また、フィルタ２２として、後掲図５に示すようなシリンジフィルタ２２'を用いることもできる。本実施形態では、排気側連通口１５は上下方向に延びる流路を形成しており、フィルタ２２は、排気側連通口１５の上端及び下端を除く上下方向中間部内に収まるように配置されている。
【００３１】
かかる構成になる排液処理器２ａ，２ｂによれば、吸引源からの負圧により生体から吸引し、廃棄容器８ａ，８ｂの内部に収容した排液を廃棄する際は、廃棄容器８ａ，８ｂをコネクタ７ａ，７ｂから取外し、廃棄容器８ａ，８ｂごと廃棄すると共に、該廃棄容器８ａ，８ｂに代えて未使用の廃棄容器８ａ，８ｂをコネクタ７ａ，７ｂに取付けるだけで作業を完了させることができる。また、その際、吸引チューブ３ａ，３ｂと、吸引源に繋がる排気チューブ５ａ，５ｂとをコネクタ７ａ，７ｂから切り離す必要がない。したがって、本実施形態に係る排液処理器２ａ，２ｂによれば、排液を廃棄する際の取換え作業を容易化できると共に、本実施形態に係る排液処理システム１のように複数の排液発生源に対応して複数の排液処理器２ａ，２ｂを用いる場合に懸念される、前記取換え作業時の吸引チューブ３ａ，３ｂや排気チューブ５ａ，５ｂの取り違えの発生も防止することができる。
【００３２】
特に、第１分岐口４ａと第２分岐口４ｂの吸引圧が相違する場合は、吸引チューブ３ａ，３ｂや排気チューブ５ａ，５ｂの取り違えは生体に悪影響を及ぼすおそれがあるため、第１分岐口４ａと第２分岐口４ｂの吸引圧を独立して調節するものにおいては、本実施形態のコネクタ７ａ，７ｂを用いて、吸引チューブ３ａ，３ｂや排気チューブ５ａ，５ｂの取り違えの発生を防止することが有益である。
【００３３】
また、本実施形態に係る排液処理器２ａ，２ｂによれば、吸引側連通口１４に開閉体（逆止弁２１）を配置したことで、排液を廃棄するため、廃棄容器８ａ，８ｂをコネクタ７ａ，７ｂから取り外して運搬する際に、排液が吸引側連通口１４から飛び出すことを防止することができる。また、誤って廃棄容器８ａ，８ｂを落下させた時にも排液が吸引側連通口１４から飛び出すことを防止することができる。
【００３４】
また、開閉体（逆止弁２１）は、吸引側挿入管１７の先端に接し、又は吸引側挿入管１７の先端に貫かれるように配置されているので、排液を廃棄するために廃棄容器８ａ，８ｂをコネクタ７ａ，７ｂから取り外したときに、排液が開閉体（逆止弁２１）の上面に残り難くなり、排液飛散のリスクを低減することができる。
【００３５】
また、本実施形態に係る排液処理器２ａ，２ｂによれば、排気側連通口１５に排液の通過を阻止するフィルタ２２を配置しているため、生体から吸引した排液が廃棄容器８ａ，８ｂ内に貯まり、フィルタ２２の排液吸込口（排気側連通口１５の下端）に達すると、吸引力の伝達をフィルタ２２で遮断し、生体からの排液の吸引を停止させることができる。また、開閉体（逆止弁２１）はフィルタ２２の排液吸込口よりも上方に配置されているため、生体から吸引した排液が廃棄容器８ａ，８ｂ内に貯まり開閉体（逆止弁２１）に達する前に、フィルタ２２によって排液の吸引を停止させることができる。
【００３６】
さらに、本実施形態に係る排液処理器２ａ，２ｂによれば、排気側連通口１５は上下方向に延びる流路を形成しており、フィルタ２２は、排気側連通口１５の上下方向中間部内に収まるように配置されているので、吸引側連通口１４から流入する排液が、例えば廃棄容器８ａ内部の壁面を伝って排気側連通口１５に向って流れた場合でも、該排液がフィルタ２２に接触することが防止される。すなわち、フィルタ２２は、排気側連通口１５の下端には配置されていないため、吸引側連通口１４から流入する排液との意図しない接触が防止される。
【００３７】
次に、前述した実施形態に係る排液処理器２ａ，２ｂの変形例について、図４〜図５を用いて詳細に例示説明する。
本変形例に係る排液処理器２'は、前述した実施形態に係る排液処理器２ａ，２ｂとは、排気側挿入管１８を無くした点、並びにフィルタ２２、逆止弁２１及びＯリング１９，２０の構成を変更した点を除き、同一の構成になっている。
【００３８】
本変形例では、コネクタ７'から排気側挿入管１８を無くしたことに伴い、排気容器８'の天板部１３'の上面に、排気側連通口１５'の上端縁を取り囲むようにＯリング２０'を設けている。また、本変形例では、フィルタ２２に代えて、排気側連通口１５'の下端に配置され、排液の通過を阻止するシリンジフィルタ２２'を用いている。なお、シリンジフィルタ２２'は、熱溶着などの接着や、凹凸形状を用いた嵌合などによって排気側連通口１５'の下端に固定することが好ましい。
【００３９】
シリンジフィルタ２２'は、前述したような不織布やメンブランフィルタ、吸水性材料などを用いて構成することができるフィルタ本体２３と、該フィルタ本体２３を収容するハウジング２４とからなり、ハウジング２４は、フィルタ本体２３の収容空間に連通する上部流路２５及び下部流路２６を備えている。
【００４０】
また、本変形例では、逆止弁２１としてダックビル弁２１'を用いており、ダックビル弁２１'は、廃棄容器８'をコネクタ７'に取り付けたとき、コネクタ７'の吸引側挿入管１７'の先端に押し開かれるように配置されている。なお、本変形例では、吸引側挿入管１７'とダックビル弁２１'との間で気密性が確保されるため、吸引側挿入管１７'と吸引側連通口１４'との間にはＯリング１９は設けていない。なお、本例では、開閉体（ダックビル弁２１'）は、下部流路２６の下端によって構成されるシリンジフィルタ２２'の排液吸込口よりも上方に配置されている。
かかる構成になる本変形例に係る排液処理器２'によれば、前述した実施形態の場合と同様の効果を得ることができる。
【００４１】
前述したところは、本発明の一実施形態を示したにすぎず、特許請求の範囲において、種々の変更を加えることができる。例えば、同一の生体が第１の排液発生源と第２の排液発生源とを有している必要はなく、第１の排液発生源を有する生体と第２の排液発生源を有する生体とが異なっていてもよい。また、吸引圧力調節器４は、第１分岐口４ａと第２分岐口４ｂに分配された２系統の負圧を独立して調節できるものとして説明したが、必ずしもこのような構成に限定されるものではなく、例えば、同一の負圧がこれら２系統に付与される構成としてもよい。また、吸引圧力調節器４を、吸引源からの負圧を３つ以上の系統に分配するように構成し、３つ以上の排液処理器を備える排液処理システムを構成することも可能である。
【符号の説明】
【００４２】
１  排液処理システム
２ａ  第１の排液処理器
２ｂ  第２の排液処理器
２'  排液処理器
３ａ  第１の吸引チューブ
３ｂ  第２の吸引チューブ
４  吸引圧力調節器
４ａ  第１分岐口
４ｂ  第２分岐口
５ａ  第１の排気チューブ
５ｂ  第２の排気チューブ
６ａ  第１の吊下げ具
６ｂ  第２の吊下げ具
７ａ，７ｂ，７'  コネクタ
８ａ，８ｂ，８'  廃棄容器
９ａ，９ｂ  吸引口
１０ａ，１０ｂ  排気口
１１  胴部
１２  括れ部
１３，１３'  天板部
１４，１４'  吸引側連通口
１５，１５'  排気側連通口
１６  天壁
１７，１７'  吸引側挿入管
１８  排気側挿入管
１９，２０，２０'  Ｏリング
２１  逆止弁（開閉体）
２１'  ダックビル弁
２２  フィルタ
２２'  シリンジフィルタ
２３  フィルタ本体
２４  ハウジング
２５  上部流路
２６  下部流路
Ｈ  ハウジング
【図１】
2016031097.tif 000003
【図２】
2016031097.tif 000004
【図３】
2016031097.tif 000005
【図４】
2016031097.tif 000006
【図５】
2016031097.tif 000007
【国際調査報告】
2016031097.tif 000008
2016031097.tif 000009